(57)【要約】【課題】少なくとも２つの増幅回路を備えた増幅部の，一方の増幅回路を選択的の動作停止にし省エネルギーを実現する。【解決手段】ＶＨＦ帯とＵＨＦ帯の２つの増幅回路を備えると共に，各増幅回路の出力信号を混合して一本の同軸ケーブルで出力するように構成された増幅部と，端末装置近傍に設置され，前記伝送線路を介して端末側より前記増幅部に電源供給を行う電源部とからなり，前記電源部は，電源供給信号をそのままで出力するか，電源供給信号に前記パルス信号を重畳して出力するかを選択的に切替えて前記増幅部側に出力する。前記増幅部には，前記電源部から送られてきた電源供給信号に所定のパルス信号が重畳されているか否かを判定し，その判定結果に基づいて，ＶＨＦ帯及びＵＨＦ帯の増幅回路に電源供給するか，ＶＨＦ帯用の前記増幅回路に対する電源供給を停止するかを選択的に切替可能とする。【選択図】  図１
2006203360.tif 000002
【特許請求の範囲】
【請求項１】
少なくとも２つの異なる周波数帯を増幅する共同受信用増幅装置において，
前記共同受信用増幅装置は，少なくとも２つの増幅回路を備えると共に，各増幅回路において所定レベルまで増幅された出力信号を混合して一本の伝送線路で出力するように構成された増幅部と，端末装置近傍に設置され，前記伝送線路を介して端末側より前記増幅部の各増幅回路に電源供給を行う電源部とからなり，
前記増幅部には，前記電源部から送られてきた電源供給信号に所定のパルス信号が重畳されているか否かを判定し，その判定に基づいて一方の増幅回路に対する電源供給をＯＮ／ＯＦＦするように構成された増幅回路切替部を備え，
前記電源部には，商用電源から電源供給を受けて，少なくとも前記増幅部を動作させるに充分な電力量の電源供給信号を生成する電源供給信号生成手段と，前記電源供給信号生成手段にて生成された電源供給信号をそのままで出力するか，また，前記電源供給信号生成手段にて生成された電源供給信号に前記パルス信号を重畳して出力するかを選択して前記増幅部側に出力する電源供給信号出力手段と，を備えたことを特徴とした共同受信用増幅装置。
【請求項２】
前記電源部には，伝送線路によって伝送されてきた一方の増幅回路から出力される所定の信号の有無を判定し，その判定結果に基づいて状態表示を行うように構成した判定表示手段を備えたことを特徴とした請求項１に記載の共同受信用増幅装置。
【請求項３】
前記増幅回路の一方はＶＨＦ帯用の増幅回路であり，他方の増幅回路はＵＨＦ帯用の増幅回路であることを特徴とした請求項１又は請求項２に記載の共同受信用増幅装置。
【請求項４】
共同受信システムにおいて，
請求項１乃至請求項３に記載の共同受信用増幅装置を用いて構成したことを特徴とした共同受信システム。
【発明の詳細な説明】
【技術分野】
【０００１】
本発明は，少なくとも異なる２つの周波数帯を増幅して端末側に伝送する共同受信用増幅装置，及び，共同受信システムに関する。
【背景技術】
【０００２】
従来のブースタ装置は，増幅部に入力した信号は増幅回路において所定レベル増幅された後に同軸ケーブルを介して電源部に接続されている。このようなブースタ装置における通常知られている構成では，電源部の電源回路において生成された電源は，同軸ケーブルを介して前記増幅回路に供給されるように構成されている。
この増幅部の構成としては，入力端子としてアンテナからの信号である例えばＶＨＦ帯の信号を入力する入力端子と，ＵＨＦ帯の信号を入力する入力端子が備えられたもので，それぞれに増幅回路を備えさせることで所定レベルまで増幅した信号を混合して出力する構成（所謂，ライン入力）のものであったり，ＶＨＦ帯の信号とＵＨＦ帯の信号を外部に接続した混合器で混合した信号を入力するＶＨＦ・ＵＨＦ混合入力端子が備えられたもので，この混合入力端子から入力された信号は，増幅部内部に備えられたＶＨＦとＵＨＦ帯の分離フィルタで持ってＶＨＦ帯とＵＨＦ帯とに分離してから，それぞれの帯域を増幅回路で所定レベルまで増幅させ，増幅した信号を混合して出力する構成（ヘッド入力）のものであったり，ライン入力とヘッド入力を選択的に切替可能に構成したものであったりする構成のものが一般的である。
（例えば，特許文献１参照）
【０００３】
【特許文献１】特許第３４５５８５０号公報
【発明の開示】
【発明が解決しようとする課題】
【０００４】
ところで，従来からの地上アナログ放送はＶＨＦ帯の放送とＵＨＦ帯の放送に加えて，ＵＨＦ帯を利用した地上ディジタル放送が開始され，２０１１年までの間はサイマル放送がなされ，２０１１年以降は完全にディジタル放送に移行されることになり，地上アナログ放送は終了となる。
しかし，従来のブースタ装置における通常知られている構成では，電源部の電源回路において生成された電源は，同軸ケーブルを介して前記増幅回路に供給されるように構成されており，ＶＨＦ帯の増幅回路とＵＨＦ帯の増幅回路とに常に供給されている状態であり，例えば地上ディジタル放送だけでテレビを楽しむ場合や，２０１１年以降において完全に地上ディジタル放送に移行した場合のように，ＶＨＦ帯の増幅回路が必要のない状態においても，ＶＨＦ帯の増幅回路には電源が供給され続け，無駄な電力を消費するといった問題があった。
そこで本願においては，こうした問題点を解決するためになされたものであり，
その目的は，省エネルギーに対応可能な共同受信用増幅装置を提供することにある。
他の目的は，省エネルギーのための切替を手元にある電源部から遠隔操作可能な共同受信用増幅装置を提供することにある。
他の目的は，増幅部に備えられた増幅回路のＯＮ／ＯＦＦの制御を電源部から行うようにすることができる共同受信用増幅装置を提供することにある。
他の目的は，テレビ信号が入力されている入力されていないかを表示可能な共同受信用増幅装置を提供することにある。
他の目的は，省エネルギーに対応可能な共同受信システムを提供することにある。
他の目的は，省エネルギーのための切替を手元にある電源部から遠隔操作可能な共同受信システムを提供することにある。
他の目的は，増幅部に備えられた増幅回路のＯＮ／ＯＦＦの制御を電源部から行うようにすることができる共同受信システムを提供することにある。
他の目的は，テレビ信号が入力されている入力されていないかを表示可能な共同受信システムを提供することにある。
【課題を解決するための手段】
【０００５】
上記課題を解決するために，請求項１の発明は，少なくとも２つの異なる周波数帯を増幅する共同受信用増幅装置において，
前記共同受信用増幅装置は，少なくとも２つの増幅回路を備えると共に，各増幅回路において所定レベルまで増幅された出力信号を混合して一本の伝送線路で出力するように構成された増幅部と，端末装置近傍に設置され，前記伝送線路を介して端末側より前記増幅部の各増幅回路に電源供給を行う電源部とからなり，
前記増幅部には，前記電源部から送られてきた電源供給信号に所定のパルス信号が重畳されているか否かを判定し，その判定に基づいて一方の増幅回路に対する電源供給をＯＮ／ＯＦＦするように構成された増幅回路切替部を備え，
前記電源部には，商用電源から電源供給を受けて，少なくとも前記増幅部を動作させるに充分な電力量の電源供給信号を生成する電源供給信号生成手段と，前記電源供給信号生成手段にて生成された電源供給信号をそのままで出力するか，また，前記電源供給信号生成手段にて生成された電源供給信号に前記パルス信号を重畳して出力するかを選択して前記増幅部側に出力する電源供給信号出力手段と，を備えた。
【０００６】
請求項２の発明は，請求項１に記載の共同受信用増幅装置において，前記電源部には，伝送線路によって伝送されてきた一方の増幅回路から出力される所定の信号の有無を判定し，その判定結果に基づいて状態表示を行うように構成した判定表示手段を備えた。
【０００７】
請求項３の発明は，請求項１又は請求項２に記載の共同受信用増幅装置において，前記増幅回路の一方はＶＨＦ帯用の増幅回路であり，他方の増幅回路はＵＨＦ帯用の増幅回路であるように構成した。
【０００８】
請求項４の発明は，共同受信システムにおいて，請求項１乃至請求項３に記載の共同受信用増幅装置を用いて構成した。
【発明の効果】
【０００９】
請求項１の発明によれば，少なくとも２つの異なる周波数帯を増幅する共同受信用増幅装置において，
前記共同受信用増幅装置は，少なくとも２つの増幅回路を備えると共に，各増幅回路において所定レベルまで増幅された出力信号を混合して一本の伝送線路で出力するように構成された増幅部と，端末装置近傍に設置され，前記伝送線路を介して端末側より前記増幅部の各増幅回路に電源供給を行う電源部とからなり，
前記増幅部には，前記電源部から送られてきた電源供給信号に所定のパルス信号が重畳されているか否かを判定し，その判定に基づいて一方の増幅回路に対する電源供給をＯＮ／ＯＦＦするように構成された増幅回路切替部を備え，
前記電源部には，商用電源から電源供給を受けて，少なくとも前記増幅部を動作させるに充分な電力量の電源供給信号を生成する電源供給信号生成手段と，前記電源供給信号生成手段にて生成された電源供給信号をそのままで出力するか，また，前記電源供給信号生成手段にて生成された電源供給信号に前記パルス信号を重畳して出力するかを選択して前記増幅部側に出力する電源供給信号出力手段と，を備えたので，
例えば一方の増幅回路が必要でなくなった場合に，増幅部の一般的な設置場所であるアンテナマスト，屋根裏や収納箱といった場所にわざわざ出向かなくても，端末装置近傍に設置された電源部から選択的に一方の増幅回路の電源供給を停止することができるので，電波の状況にあわせて必要のない増幅回路に対する電源供給を止めることで無駄な電力を消費しない共同受信用増幅装置を提供できるのである。
【００１０】
請求項２の発明によれば，請求項１に記載の共同受信用増幅装置において，前記電源部には，伝送線路によって伝送されてきた一方の増幅回路から出力される所定の信号の有無を判定し，その判定結果に基づいて状態表示を行うように構成した判定表示手段を備えたので，
例えば一方の周波数帯をＶＨＦ帯の信号とすると，２０１１年以降において完全にＵＨＦ帯の地上ディジタル放送に移行した場合のように，ＶＨＦ帯の信号が停止されＶＨＦ帯の増幅回路が必要のない状態になった場合において，電源部に備えた前記判定表示手段によってＶＨＦ帯の信号がなくなったことが簡単に誰でも確認でき，これに基づいてＶＨＦ帯の増幅回路に供給される電源を電源部から素早く停止することができ，無駄な電力を消費することがない共同受信用増幅装置を提供できるのである。
【００１１】
請求項３の発明によれば，請求項１又は請求項２に記載の共同受信用増幅装置において，前記増幅回路の一方はＶＨＦ帯用の増幅回路であり，他方の増幅回路はＵＨＦ帯用の増幅回路であるように構成したので，
地上ディジタル放送だけでテレビを楽しむ場合や，２０１１年以降において完全に地上ディジタル放送に移行した場合のように，ＶＨＦ帯の増幅回路が必要のない状態になった場合であっても，ＶＨＦ帯の増幅回路に供給される電源を選択的に停止し，必要なＵＨＦ帯だけの増幅回路に電源供給できるので，無駄な電力を消費することがない共同受信用増幅装置を提供できるのである。
【００１２】
請求項４の発明によれば，共同受信システムにおいて，請求項１乃至請求項３に記載の共同受信用増幅装置を用いて構成したので，
無駄な電力を消費することがない共同受信システムを提供できるのである。
【発明を実施するための最良の形態】
【００１３】
以下に，本発明を具体化した実施形態の例を，図面を基に詳細に説明する。
図１は本願に係る第１実施形態の共同受信用増幅装置を用いた受信システムの例を示す。図２は第１実施形態に用いられる電源部の具体的な回路例を示す。図３は第１実施形態に係る増幅部の具体的な回路例を示す。図４は本願の第１実施形態の異なる受信システム例を示す。図５は本願に係る第２実施形態の共同受信用増幅装置を用いた受信システムの例を示す。図６は第２実施形態に用いられる電源部の具体的な回路例を示す。
【実施例１】
【００１４】
図１に示すごとく，本願の実施例における受信システムは，一般家庭で屋外に設置したアンテナからの受信信号を宅内に引き込む所謂ホーム共同受信用の受信システムを示しており，前記アンテナとしては地上局から送信されたＶＨＦ帯の信号とＵＨＦ帯の信号を夫々受信するＶＨＦアンテナ２及びＵＨＦアンテナ３とを備える。
上記各アンテナの出力端子は，夫々，同軸ケーブルを介して増幅部２０の２０ａに示すＵＨＦ入力端子，２０ｂに示すＶＨＦ入力端子に接続されており，上記各アンテナ２，３からの受信信号は，夫々，各入力端子２０ａ，２０ｂから増幅部２０に入力される。
【００１５】
増幅部２０は，上記各入力端子２０ａ，２０ｂから入力された受信信号を，夫々増幅周波数帯域がこれら各受信信号の周波数帯域に設定された増幅回路２２，２６を用いて増幅し，その増幅後の各受信信号を混合して，１つの出力端子２０ｃから出力する。
尚，本願の実施例にでは２１はＵＨＦ帯の信号を通過帯域しＶＨＦ帯の信号を阻止帯域とする例えばハイパスフィルタであり，２５はＶＨＦ帯の信号を通過帯域としＵＨＦ帯の信号を阻止帯域とする例えばバンドパスフィルタで構成されている。
また，２３，２７は各増幅回路から出力される各受信信号を混合するフィルタであり，２３はＵＨＦ帯の信号を通過帯域としＶＨＦ帯の信号を阻止帯域とする例えばハイパスフィルタ，２７はＶＨＦ帯の信号を通過帯域としＵＨＦ帯の信号を阻止帯域とする例えばローパスフィルタから構成され，夫々の信号を合成される。この混合されたＶＨＦ帯の信号とＵＨＦ帯の信号は，混合された信号を通過し電源部３０から供給される電源供給信号を阻止するコンデンサー２８を介して出力端子２０ｃから出力される。
【００１６】
前記出力端子２０ｃには，受信信号の伝送経路となる同軸ケーブル５を介して端末側に設置された電源部３０が設けられている。
この電源部３０は図に示されるように，ＡＣプラグ３１を介して入力される商用電源からの電圧を受けて，少なくとも前記増幅部２０を動作させるのに充分な電力量の直流定電圧（本実施例では例えば直流１５Ｖ）を生成する電源供給信号生成手段３２と，所定周期でレベルが変化するパルス信号（例えば周波数が１ｋＨｚのパルス信号，その他三角波・正弦波信号も含む）を発生するパルス発生回路３５と，該パルス発生回路３５からのパルス信号を電源供給信号生成手段３２で生成された直流定電圧１５Ｖに重畳するためのパルス重畳回路３６と，前記パルス発生回路３５に対してパルスを発生させるか発生させないかを選択的に切り替えることができる切替手段３３としてのスイッチとが備えられている。
【００１７】
また，電源部３０には，増幅部２０側からの信号が同軸ケーブル５を介して入力される入力端子Ｐｉｎ，及び，この受信信号を同軸ケーブルを介して地上ディジタルチューナ４等の端末装置に出力するための出力端子Ｐｏｕｔが備えられ，更に，この電源部３０は，入力端子Ｐｉｎに入力された受信信号を，入力端子Ｐｉｎと出力端子Ｐｏｕｔとの間に接続されて直流及び低周波信号遮断し高周波信号を通過するコンデンサー３７を介して，出力端子Ｐｏｕｔから端末側に出力すると共に，パルス重畳回路３６を通過した直流定電圧出力を電源供給信号として，直流及び低周波信号通過させ，高周波信号を遮断するチョークコイル３８を介して入力端子Ｐｉｎから増幅部２０に出力する。
尚，前記パルス発生回路３５，パルス重畳回路３６及び切替手段３３が請求項に記載の電源供給信号出力手段に相当する。
【００１８】
ここで電源供給信号出力手段について図２を用いて詳細に説明する。本願に係るパルス発生回路３５は，１ｋＨｚの周波数を有するパルス信号を発生するように構成されており，発信用のＩＣとバイアス抵抗Ｒ１１〜１５，コンデンサーＣ１１，Ｃ１２とから構成した例を示している。このＩＣによって発生した１ｋＨｚのパルス信号はトランジスタＴＲ１とバイアス抵抗Ｒ１６，Ｒ１７によって構成される電流増幅回路によって増幅されてからパルス重畳回路３６に入力される。
このパルス重畳回路３６は，電源供給信号生成手段３２において生成された直流電流に前記パルス発生回路３５において生成された１ｋＨｚのパルス信号を混合する回路であり，ダイオードＤ２１〜２４，抵抗Ｒ２１〜２６，トランジスタＴＲ２とから構成した回路例を示している。
尚，本願の実施例によれば切替手段３３がＯＮのときにパルス信号が出力され，ＯＦＦの時はパルス信号がＯＦＦとなるように構成されている。
【００１９】
次に，増幅部２０において，前記電源部３０より電源供給信号を受ける出力端子２０ｃは，高周波信号を通過し直流及び低周波信号を遮断するコンデンサー２８を介して，前記ハイパスフィルタ２３とローパスフィルタ２７との相互接続点に接続されると共に，直流及び低周波信号を通過し高周波信号を遮断するチョークコイル２９を介して増幅回路２２に接続されている。更にチョークコイル２９と前記増幅回路２２との相互接続点には増幅回路切替部１０が接続されている。
【００２０】
この増幅回路切替部１０は，出力端子２０ｃに入力された電源供給信号（本願の実施例では直流１５Ｖ又は直流１５Ｖ＋パルス信号）にパルス信号が重畳されているか否かを判断し，この判定結果に従い電源供給信号にパルス信号が重畳されている場合には，増幅回路切替部１０から電源供給信号が出力され，電源供給信号にパルス信号が重畳されていない場合には，増幅回路切替部１０から電源供給信号が出ないように構成され，この増幅回路切替部１０の出力は前記増幅回路２６に接続されている。
尚，該増幅回路切替部１０の具体的な回路例を図３に詳細に示す。この図においてパルス信号はＣ３１に示すコンデンサーから，オペレーショナルアンプＯＰ１と抵抗Ｒ３１〜３６からなる判定回路に入力されると共に判定され，その判定結果に基づいてトランジスタＴＲ３，抵抗Ｒ３７，３８，ダイオードＤ１，Ｄ２，コンデンサー３２からなるスイッチ回路のＯＮ・ＯＦＦ制御が行われ増幅回路２６を駆動するか，しないかを切り替えるのである。
尚，本願の実施例においては，増幅部に直流１５Ｖ＋パルス信号が供給される時は増幅回路切替部１０から増幅回路２６に電源供給され，増幅部に直流１５Ｖだけが供給される時は増幅回路切替部１０から増幅回路２６への電源供給を停止するように構成されている。
【００２１】
以上説明したように，第１実施例に示す共同受信用増幅装置においては，増幅部２０に備えられた増幅回路切替部１０が，電源部３０から出力された電源供給信号にパルス信号が重畳されている場合には，増幅回路２６が動作するように電源供給信号である直流１５Ｖを増幅回路２６に供給し，電源供給信号にパルス信号が重畳されていなければ，電源供給信号を増幅回路２６に供給するのを停止されていると共に，この増幅回路２６を動作させるか動作させないかの選択を電源部に備えた切替手段３３としてのスイッチを切り替えることで行うことができるので，地上アナログ放送が終了してＵＨＦ帯を利用した地上ディジタル放送に完全に移行した場合のように，ＶＨＦ帯の増幅回路が必要のない状態になった場合であっても，ＶＨＦ帯の増幅回路に供給される電源供給信号を選択的に停止し，受信に必要なＵＨＦ帯だけの増幅回路に電源供給できるので，無駄な電力を消費することがない共同受信用増幅装置を提供できるのである。また，このような受信システムにおける増幅部の一般的な設置場所であるアンテナマスト，屋根裏や収納箱といった場所にわざわざ出向かなくても，端末装置近傍に設置された電源部から選択的に一方の増幅回路の電源供給を停止することができるので，電波の状況にあわせて必要のない増幅回路に対する電源供給を止めることが危険を伴わずに安全且つ簡単にできるのである。
【００２２】
次に第１実施例における異なる実施例を図４に示すが，この実施例では前記実施例に加えて増幅部がヘッド入力（ＶＨＦ・ＵＨＦ混合入力）を備えた例である。この実施例ではＵＨＦ入力端子２０ａ（ＶＨＦ・ＵＨＦ混合入力）とＶＨＦ入力端子２０ｂとの間に接続されたＶＨＦ帯を通過して，ＵＨＦ帯を阻止帯域とするローパスフィルタ７とＶＨＦ・ＵＨＦ別入力かＶＨＦ・ＵＨＦ混合入力かを選択的に切替可能な切替スイッチ８とを備えたものである。尚上記実施例と同様の構成であるものについては同様の符号を付与し詳細な説明は省略する。
【００２３】
ＶＨＦアンテナ２とＵＨＦアンテナ３において受信された受信信号は混合器６において混合されて一本の同軸ケーブルで増幅部４０のＶＨＦ・ＵＨＦ混合入力端子に２０ａに入力される。
入力された受信信号のＵＨＦ帯の信号は前記ハイパスフィルタ２１を介して増幅回路２２に入力され所定レベルまで増幅される。
また，入力された受信信号のＶＨＦ帯の信号は切替スイッチ８，ＶＨＦ帯の信号を通過帯域としてＵＨＦ帯を阻止帯域とするローパスフィルタ７を介してフィルタ回路２５から増幅回路２６に入力され所定レベルまで増幅されるのである。
尚，９は７５Ω抵抗であり，ＶＨＦ・ＵＨＦ別入力の場合に切替スイッチ８を切替えた時に前記ローパスフィルタ７による影響を少なくするためのダミー抵抗である。
【実施例２】
【００２４】
次に本発明の第２の実施形態として図５を参照して説明する。この第２実施例では前記第１の実施形態に加えて，ＶＨＦ帯の電波が停波した状態であるかどうかを電源部に備えた表示手段によって判断できるように構成したものである。尚，以下の説明では，上記第１の実施形態と同様の構成要素については同一符号を付与し，詳細な説明は省略する。                            
【００２５】
この第２実施例に使用する電源部５０には，増幅部２０側からの信号が同軸ケーブル５を介して入力される入力端子Ｐｉｎ，及び，この受信信号を同軸ケーブルを介して地上ディジタルチューナ４等の端末装置に出力するための出力端子Ｐｏｕｔが備えられ，更に，この電源部５０は，この入力端子Ｐｉｎに入力された受信信号を，入力端子Ｐｉｎと出力端子Ｐｏｕｔとの間に接続されて直流及び低周波信号を遮断し高周波信号を通過するコンデンサー３７と分岐器５１を介して，出力端子Ｐｏｕｔから端末側に出力するように構成されている。
この分岐器５１の分岐出力５１ａには，例えばＶＨＦ帯における所定の信号を通過帯域とする例えばバンドパスフィルタからなるフィルタ回路５２が接続されている。このフィルタ回路５２の出力には，検波回路５３と比較回路５４とから成る判定回路が接続されている。この判定回路では検波電圧が所定の基準値を越えるか超えないかを判定し，基準値より低いと判断したのならば，この判定結果に基づいて５５に示す表示手段で有る例えばＬＥＤ等を点灯させるように構成されている。 
尚，この実施例に示す分岐器５１，フィルタ回路５２，検波回路５３，比較回路５４及び表示手段５５が請求項に記載の判定表示手段である。
【００２６】
ここで前記判定表示手段について図６を用いて詳細に説明する。入力端子Ｐｉｎから入力された増幅部からの信号は前記コンデンサー３８から分岐器５１を介して出力端子Ｐｏｕｔから出力される。この分岐器５１は例えばフェライトコアにポリウレタン線を巻回して構成されたものであり，この分岐端子５１ａから信号の一部か取り出される。この取り出された信号は５２に示すフィルタ回路，この実施例ではコンデンサーＣ１〜Ｃ４，コイルＬ１〜３からなるバンドパスフィルタであり，本願の実施例では例えば通過帯域をＶＨＦ帯とする用に構成されている。
【００２７】
次に前記バンドパスフィルタ５２を通過したＶＨＦ帯の信号は，検波回路５３において検波される。この検波回路５３はダイオードＤ１，Ｄ２に示す検波ダイオードと，抵抗Ｒ３，コンデンサーＣ６からなる平滑回路からなる。尚抵抗Ｒ１，Ｒ２は基準電圧を作るためのものである。従って検波回路に入力される信号のレベルが所定の基準値を越えた場合に，この検波回路から検波電圧が出力されるように構成されている。
この検波回路５３から出力された検波電圧は，比較回路５４に入力される。この比較回路５４は，演算増幅器ＯＰ１とバイアス抵抗Ｒ６〜Ｒ９と，基準電圧を設定する抵抗Ｒ４，Ｒ５とからなり，この比較回路５４において検波回路からの検波電圧が基準電圧より高いか低いかを判定し，検波電圧が基準値より高いと判定したのならＯＮ，検波電圧が基準値より低いと判定したのならＯＦＦとなるように構成されている。
【００２８】
更に比較回路５４の出力には表示手段５５が接続されている。この表示手段は本願の実施例ではＬＥＤからなり，前記比較回路５４からの出力電圧に基づいて点灯／消灯するように構成されており，この状態は電源部のケース外部から確認できる。
即ち，本願の実施例では例えばＶＨＦ帯のテレビ信号が存在する場合は，ＬＥＤは点灯しており，ＶＨＦ帯のテレビ信号が存在しない場合は，ＬＥＤが消灯するように構成されており，地上アナログ放送が完全に停止した時のようにＶＨＦ帯の信号が停波した時（ＬＥＤが消灯）に，その状態の確認が容易にできるのである。
尚，本願の実施例では，ＶＨＦ帯の増幅回路２６とＵＨＦ帯の増幅回路２２を備えた増幅部２０を代表例として，この内のＶＨＦ帯の増幅回路２６を動作させるかさせないかを，電源部５０に備えた表示手段５５の状態表示を基に，切替手段３３をマニュアル操作することによって選択的に切替可能に構成したものであるが，例えば放送局のメンテナンス等のために，一時的に電波を停止するような状況が発生した場合に備えて，検波回路５３の出力に，例えば電波の停止時間が所定の時間（例えば２４時間）以上になったかどうかを判定するタイマ回路を備えさせるこによって，このタイマ回路によってパルス信号を電源供給信号に重畳するかしないか切り替えるなど，自動的に切替可能に構成しても良い。
【００２９】
以上説明したように，第２実施例に示す共同受信用増幅装置においては，増幅部５０に備えられた増幅回路切替部１０は，電源部３０から出力された電源供給信号にパルス信号が重畳されている場合には，増幅回路２６が動作するように電源供給信号である直流１５Ｖを増幅回路２６に供給し，電源供給信号にパルス信号が重畳されていなければ，電源供給信号を増幅回路２６に供給するのを停止するように構成されているおり，この増幅回路２６を動作させるか動作させないかの選択を，電源部に備えた切替手段３３としてのスイッチを切り替えることで選択的に行うことができるばかりでなく，地上アナログ放送が終了してＵＨＦ帯を利用した地上ディジタル放送に完全に移行した場合のように，ＶＨＦ帯の増幅回路が必要のない状態になった場合であっても，電源部５０に備えた前記判定表示手段によって，信号が停波したことが視覚的にも簡単に分かり，ＶＨＦ帯の増幅回路に供給される電源供給信号を素早く停止できるといった利便性に優れた共同受信用増幅装置を提供できるのである。
【００３０】
本発明はＶＨＦ帯用の増幅回路とＵＨＦ帯用の増幅回路とを備えた増幅器３０，５０としての実施例を示したが，例えば一方の増幅回路を衛星アンテナから出力されたＢＳやＣＳの中間周波数帯用とし，他方の増幅回路をＵＨＦ帯用の受信信号用とするように形成しても良い。またＣＡＴＶ伝送線に介在させるＣＡＴＶ増幅器用の増幅器であって，上り信号用増幅回路と下り信号用の増幅回路を備えた増幅器に応用しても良いし，下り信号を低域側と広域側に分波し，低域側の周波数帯域の適応した増幅回路と広域側の周波数帯に適応した増幅回路を備えさせた増幅器であっても良いなど，上記実施例に限定されるものではない。このような場合の効果としては，例えばとりあえずＵＨＦ帯の地上ディジタル放送だけを受信できる状態にしておいて，衛星放送を見る必要がない場合は，中間周波数帯の増幅回路をＯＦＦ状態にしておけば良いし，衛星放送を追加して見たい場合はいつでも簡単に端末側に設置された電源部から，中間周波数帯の増幅回路をＯＮ状態にできるように，システムの構築状態に合わせて使用する増幅回路をＯＮにしたり，必要としない増幅回路をＯＦＦにしたり，適宜に省エネルギーに対応できるといった優れた利便性の共同受信用増幅装置，及びこれを用いた共同受信システムを提供できるのである。
尚，例えば本願の実施例のように電源供給信号にパルス信号が重畳されていないときに一方の増幅回路を停止するように構成したが，パルス信号を重用した時に一方の増幅回路を停止するように構成しても良いなど，上記記実施の形態に限定されるものではなく，例えば本発明の趣旨を逸脱しない範囲で各部の構成を適宜に変更して実施することも可能である。
【図面の簡単な説明】
【００３１】
【図１】本願に係る第１実施形態の共同受信用増幅装置を用いた受信システムの例を示す。
【図２】第１実施形態に用いられる電源部の具体的な回路例を示す。
【図３】第１実施形態に係る増幅部の具体的な回路例を示す。
【図４】本願の第１実施形態の異なる受信システム例を示す。
【図５】本願に係る第２実施形態の共同受信用増幅装置を用いた受信システムの例を示す。
【図６】第２実施形態に用いられる電源部の具体的な回路例を示す。
【符号の説明】
【００３２】
１…，２…ＶＨＦアンテナ，３…ＵＨＦアンテナ，４…地上ディジタルチューナ，５…同軸ケーブル，６…混合器，７…フィルタ回路（ローパスフィルタ），８…切替スイッチ，９…ダミー抵抗，１０…増幅回路切替部，１１…，１２…，１３…，１４…，１５…，１６…，１７…，１８…，１９…，２０…増幅部，２０ａ…ＵＨＦ入力端子，２０ｂ…ＶＨＦ入力端子，２０ｃ…出力端子，２１…フィルタ回路（ハイパスフィルタ），２２…増幅回路，２３…フィルタ回路（ハイパスフィルタ），２４…，２５…フィルタ回路（バンドパスフィルタ），２６…増幅回路，２７…フィルタ回路（ハイパスフィルタ），２８…コンデンサー，２９…チョークコイル，３０…電源部，３１…ＡＣコンセント，３２…電源供給信号生成手段，３３…切替手段，３４…，３５…パルス発生回路，３６…パルス重畳回路，３７…コンデンサー，３８…チョークコイル，３９…，４０…増幅回路，５０…電源部，Ｐｉｎ…入力端子，Ｐｏｕｔ…出力端子，５１…分岐器，５２…フィルタ回路，５３…検波回路，５４…比較回路，５５…表示手段
【図１】
2006203360.tif 000003
【図２】
2006203360.tif 000004
【図３】
2006203360.tif 000005
【図４】
2006203360.tif 000006
【図５】
2006203360.tif 000007
【図６】
2006203360.tif 000008